(57)【要約】【課題】画像形成装置のランニングコストを抑制する。【解決手段】タンデム配列された複数の感光体（６１Ａ、６２Ａ）と、複数の現像器および複数の現像剤収容器（１００、６２Ｇ）とを筐体（１０）内に位置決めして保持するとともに筐体の開口部を通ってタンデム配列方向に引き出し可能な保持部材（６５）を、前記複数の感光体、前記複数の現像器および前記複数の現像剤収容器がすべて前記筐体内に収容される第１の位置と、少なくとも、前記複数の現像剤収容器のうち前記引き出し方向において最も奥側に配置された現像剤収容器が交換可能となる第２の位置との間をスライド移動可能とする。引き出し方向において最も奥側に配置された現像剤収容器（１００）は、対応する現像器と分離して単独で交換可能に構成され、黒色の現像剤を収容しており、それ以外の現像剤収容器（６２Ｇ）は、対応する現像器と一体で交換可能に構成されている。【選択図】図１
2011150178.tif 000002
【特許請求の範囲】
【請求項１】
開口部を有する筐体と、
複数の感光体と、
前記複数の感光体にそれぞれ対応させて設けられた複数の現像器と、
前記複数の現像器にそれぞれ現像剤を供給する複数の現像剤収容器と、
タンデム配列された前記複数の感光体と、前記複数の現像器および前記複数の現像剤収容器とを前記筐体内に位置決めして保持するとともに、前記開口部を通って前記タンデム配列方向に引き出し可能な保持部材と、を備え、
前記複数の現像剤収容器は、対応する現像器と分離して単独で交換可能に構成された第１の現像剤収容器と、対応する現像器と一体で交換可能に構成された第２の現像剤収容器とを含み、
前記保持部材は、前記複数の感光体、前記複数の現像器および前記複数の現像剤収容器がすべて前記筐体内に収容される第１の位置と、少なくとも、前記複数の現像剤収容器のうち前記引き出し方向において最も奥側に配置された現像剤収容器が、交換可能となる第２の位置との間をスライド移動可能に構成され、
前記複数の現像剤収容器のうち前記引き出し方向において最も奥側に配置された現像剤収容器は、前記第１の現像剤収容器であって、黒色の現像剤を収容しており、
前記複数の現像剤収容器のうち前記引き出し方向において最も奥側に配置された現像剤収容器以外の現像剤収容器は、前記第２の現像剤収容器である
ことを特徴とする画像形成装置。
【請求項２】
前記第１の現像剤収容器は、対応する現像器へ現像剤を供給する供給口と、当該供給口を開閉可能なシャッタと、を備えることを特徴とする請求項１に記載の画像形成装置。
【請求項３】
前記第１の現像剤収容器は、前記シャッタを開位置と閉位置との間で切替操作するための操作部をさらに備え、
前記保持部材が前記第２の位置にあるとき前記操作部による前記シャッタの閉位置への切替操作によって前記第１の現像剤収容器の前記対応する現像器との結合が解除されて前記保持部材に前記対応する現像器が保持された状態で前記第１の現像剤収容器が交換可能となり、前記保持部材が前記第２の位置にあるとき前記操作部による前記シャッタの開位置への切替操作によって前記第１の現像剤収容器が前記対応する現像器に対してロックされるよう構成されていることを特徴とする請求項２に記載の画像形成装置。
【請求項４】
前記第１の現像剤収容器は、前記保持部材が前記第２の位置にあるとき、前記筐体内に位置することを特徴とする請求項１〜３のいずれか一項に記載の画像形成装置。
【請求項５】
前記保持部材は、前記第２の位置にあるとき、前記第１の現像剤収容器の、少なくとも手前側と奥側の２箇所において前記筐体に支持されるよう構成されていることを特徴とする請求項４に記載の画像形成装置。
【請求項６】
前記第１の現像剤収容器が収容する現像剤は粉砕トナーであり、
前記第２の現像剤収容器が収容する現像剤はケミカルトナーであることを特徴とする請求項１〜５のいずれか一項に記載の画像形成装置。
【発明の詳細な説明】
【技術分野】
【０００１】
本発明は、一般に、記録シートに画像を形成する画像形成装置に関し、特に、複数の感光体をタンデム配列して、対応する現像器および現像剤収容器とともに、当該タンデム配列方向に引き出し可能な保持部材に位置決め保持させた画像形成装置に関する。
【背景技術】
【０００２】
記録シートにカラー画像を形成するレーザプリンタ等の画像形成装置として、複数の感光体を対応する現像カートリッジ（現像器および現像剤収容器が一体化されたもの）とともにタンデム配列して保持部材に位置決め保持させ、装置の筐体から保持部材をそのタンデム配列方向に引き出すことで部品や消耗品等の交換ができるようにした画像形成装置が知られている（特許文献１参照）。
【先行技術文献】
【特許文献】
【０００３】
【特許文献１】特開２００９−１８１０７７号公報
【発明の概要】
【発明が解決しようとする課題】
【０００４】
ところで、レーザプリンタ等の画像形成装置では、ランニングコストの抑制の観点から、現像剤収容器（トナーカートリッジ）を現像器や感光体から分離して単独で交換可能とすると有利である。しかし、このようなトナーカートリッジ分離式の現像装置を特許文献１に開示されているようなタンデム配列方向引き出し型の画像形成装置に採用しようとすると、トナーカートリッジ着脱時のシャッタの開閉動作の際に引き出した状態の保持部材にかかる力によって保持部材が破損したり装置本体が転倒したりする虞がある。
【０００５】
このような技術的課題に着目した本発明者は、現像装置にトナーカートリッジ分離式を採用することによるランニングコスト抑制の効果が得られるとともに、引き出した状態の保持部材にかかる力によって保持部材が破損したり装置本体が転倒したりする危険性のないタンデム配列方向引き出し型の画像形成装置を提供しようとする研究の過程で本発明を創案するに至った。
【課題を解決するための手段】
【０００６】
本発明の一態様としての画像形成装置は、開口部を有する筐体と、複数の感光体と、前記複数の感光体にそれぞれ対応させて設けられた複数の現像器と、前記複数の現像器にそれぞれ現像剤を供給する複数の現像剤収容器と、タンデム配列された前記複数の感光体と、前記複数の現像器および前記複数の現像剤収容器とを前記筐体内に位置決めして保持するとともに、前記開口部を通って前記タンデム配列方向に引き出し可能な保持部材と、を備え、前記複数の現像剤収容器は、対応する現像器と分離して単独で交換可能に構成された第１の現像剤収容器と、対応する現像器と一体で交換可能に構成された第２の現像剤収容器とを含み、前記保持部材は、前記複数の感光体、前記複数の現像器および前記複数の現像剤収容器がすべて前記筐体内に収容される第１の位置と、少なくとも、前記複数の現像剤収容器のうち前記引き出し方向において最も奥側に配置された現像剤収容器が、交換可能となる第２の位置との間をスライド移動可能に構成され、前記複数の現像剤収容器のうち前記引き出し方向において最も奥側に配置された現像剤収容器は、前記第１の現像剤収容器であって、黒色の現像剤を収容しており、前記複数の現像剤収容器のうち前記引き出し方向において最も奥側に配置された現像剤収容器以外の現像剤収容器は、前記第２の現像剤収容器であることを特徴とする。
【発明の効果】
【０００７】
前記態様によれば、複数の現像剤収容器のうち、一般に最も消費の早い黒色の現像剤の現像剤収容器を単独で交換することができるので、顕著なランニングコスト抑制効果が期待できる。また、この黒色の現像剤を収容する現像剤収容器は、最も奥側に配置されており、保持部材を「第２の位置」まで引き出したとき装置本体の重心に最も近い位置で交換可能なので、構造上の堅牢性と操作の安全性および容易性とが十分に確保された画像形成装置の商品化が可能となる。
【図面の簡単な説明】
【０００８】
【図１】本発明の第１の実施形態に係る画像形成装置の一例としてのカラー複合機の概略構成を示す断面図である。
【図２】保持ケースの収容位置（第１の位置）を説明する断面図である。
【図３】保持ケースの着脱位置（第２の位置）を説明する断面図である。
【図４】プロセスユニットの交換を説明する断面図である。
【図５】シャッタが閉じた状態のトナーカートリッジおよび現像器を示す模式図である。
【図６】シャッタが開いた状態のトナーカートリッジおよび現像器を示す模式図である。
【図７】プロセスユニット交換時の本体筐体における保持ケースの支持構造を示す模式図であり、（ａ）に保持ケースの後端部近傍、（ｂ）に本体筐体の前端部近傍を示す。
【発明を実施するための形態】
【０００９】
本発明の一実施形態について、適宜図面を参照しながら詳細に説明する。なお、以下の説明では、まず、本発明の一実施形態に係る画像形成装置の一例としてのカラー複合機の概略構成について説明した後、特に、黒色の現像剤を収容する現像剤収容器を備えるプロセスユニットの詳細な構成について説明する。
【００１０】
＜カラー複合機の概略構成＞
図１に示すように、カラー複合機１は、本体筐体１０と、フラットベッドスキャナ２０とを備えている。また、カラー複合機１は、本体筐体１０内に、記録シートの一例としての用紙Ｐを供給する給紙部３０と、供給された用紙Ｐに画像を形成する画像形成部４０と、画像が形成された用紙Ｐを排出する排紙部９０とを主に備えている。
【００１１】
なお、以下の説明において、方向は、カラー複合機１が使用されるときのユーザを基準にした方向で説明する。すなわち、図１における右側を「前」または「手前」、左側を「後」または「奥」とし、紙面手前側を「左」、奥側を「右」とする。また、図１における上下方向を「上下」とする。
【００１２】
フラットベッドスキャナ２０は、本体筐体１０の上方に設けられた公知の原稿読取装置である。このフラットベッドスキャナ２０は、複写などの際に、セットされた原稿に光を照射して画像を読み取ることで画像データを生成する。
【００１３】
給紙部３０は、本体筐体１０内の下部に設けられ、用紙Ｐを収容する給紙トレイ３１と、給紙トレイ３１から用紙Ｐを画像形成部４０に搬送する給紙機構３２とを主に備えている。給紙トレイ３１内の用紙Ｐは、給紙機構３２によって１枚ずつ分離されて画像形成部４０に搬送される。
【００１４】
画像形成部４０は、露光装置の一例としての露光ユニット５０と、４つのプロセスユニット６１、６２と、転写ユニット７０と、定着ユニット８０とから主に構成されている。
【００１５】
露光ユニット５０は、本体筐体１０内の上部に設けられ、図示しないレーザ光源、ポリゴンミラー、レンズ、反射鏡などを備えている。レーザ光源から出射されたレーザ光は、ポリゴンミラーや反射鏡で反射し、レンズを通過して、各感光体ドラム６１Ａ、６２Ａの表面を高速走査する。
【００１６】
４つのプロセスユニット６１、６２は、給紙部３０と露光ユニット５０との間に配置され、前後方向に並べて配列（タンデム配列）され、保持部材の一例としての保持ケース６５に保持されている。
【００１７】
保持ケース６５は、例えば、底のない枠状に形成されており、本体筐体内部に形成されたレール１０Ｒ（図３参照）に沿って、前後方向に平行移動可能に構成されている。保持ケース６５は、図２に示すように、本体筐体１０の前側（開口部）に設けられたフロントカバー１１を開き、ハンドル６５Ｈを引くことで、本体筐体１０から引き出し可能である。カラー複合機１では、保持ケース６５を引き出すことで、本体筐体１０のプロセスユニット６１、６２の部品を交換することができる。
【００１８】
なお、以下の説明において、図２に示す保持ケース６５の引き出す前の位置を「収容位置」（または「第１の位置」）、図３に示す保持ケースの引き出した後の位置を「着脱位置」（または「第２の位置」）と称する。第１の位置とは、保持ケース６５の保持するすべてのプロセスユニット６１、６２が本体筐体１０内に収容される位置である。第２の位置とは、４つのプロセスユニット６１、６２のうち引き出し方向において最も奥側に配置されたプロセスユニット６１の現像剤収容器（トナーカートリッジ１００）が交換可能となる位置である。
【００１９】
保持ケース６５の引き出し操作と、第１の位置または第２の位置における位置決め支持とを可能にする構造の詳細については、後述する。
【００２０】
４つのプロセスユニットのうち最も奥側に配置されたプロセスユニット６１は、感光体の一例としての感光体ドラム６１Ａと、帯電器６１Ｂと、現像ローラ６１Ｃと、供給ローラ６１Ｄと、層厚規制ブレード６１Ｅと、黒色のトナー（現像剤）を収容する第１の現像剤収容器の一例としてのトナーカートリッジ１００とを備えて構成されている。これらのうち、現像ローラ６１Ｃ、供給ローラ６１Ｄおよび層厚規制ブレード６１Ｅが、現像器２００を構成する。プロセスユニット６１の詳細な構成については後述する。
【００２１】
なお、プロセスユニット６１の感光体ドラム６１Ａや帯電器６１Ｂは、保持ケース６５に対して一体で着脱可能（交換可能）であってもよいし、保持ケース６５に固定されて保持ケース６５とともに１つのユニットを形成していてもよい。また、現像器２００を構成する現像ローラ６１Ｃ、供給ローラ６１Ｄおよび層厚規制ブレード６１Ｅは、一体のユニットとして、保持ケース６５に対して着脱可能としてもよく、感光体ドラム６１Ａや帯電器６１Ｂとともに、保持ケース６５に固定されて保持ケース６５とともに一つのユニットを形成するものとしてもよい。尚、現像器２００は、保持ケース６５に着脱可能である場合、感光体ドラム６１Ａや帯電器６１Ｂと一体で着脱可能でもよく、感光体ドラム６１Ａや帯電器６１Ｂとは分離して着脱可能としてもよい。
【００２２】
４つのプロセスユニットのうち手前側の３つのプロセスユニット６２は、それぞれ、感光体の一例としての感光体ドラム６２Ａと、帯電器６２Ｂと、現像ローラ６２Ｃと、供給ローラ６２Ｄと、層厚規制ブレード６２Ｅと、現像剤収容器６２Ｇ（第２の現像剤収容器）とを備えて構成されている。現像剤収容器６２Ｇには、それぞれ、シアン（Ｃ）、マゼンタ（Ｍ）、イエロー（Ｙ）のいずれかのトナー（現像剤）が収容される。プロセスユニット６２の現像器（現像ローラ６２Ｃ、供給ローラ６２Ｄ、層厚規制ブレード６２Ｅ）は、現像剤収容器６２Ｇと一体に構成されて、保持ケースに対して着脱可能とされている（図４参照）。
【００２３】
プロセスユニット６２の感光体ドラム６２Ａや帯電器６２Ｂも、プロセスユニット６１の感光体ドラム６１Ａや帯電器６１Ｂと同様に、保持ケース６５に対して着脱可能（交換可能）であってもよいし、保持ケース６５に固定されて保持ケース６５とともに１つのユニットを形成していてもよい。尚、プロセスユニット６２（感光体ドラム６２Ａと、帯電器６２Ｂと、現像ローラ６２Ｃと、供給ローラ６２Ｄと、層厚規制ブレード６２Ｅと、現像剤収容器６２Ｇ）は、一体で保持ケースに対して着脱可能としてもよい。
【００２４】
転写ユニット７０は、給紙部３０と４つのプロセスユニット６１、６２との間に設けられ、駆動ローラ７１と、従動ローラ７２と、駆動ローラ７１および従動ローラ７２の間に張設された無端状の搬送ベルト７３と、４つの転写ローラ７４とを主に備えている。搬送ベルト７３は、外側の面が各感光体ドラム６１Ａに接しており、その内側には各転写ローラ７４が各感光体ドラム６１Ａとの間で搬送ベルト７３を挟持するように配置されている。
【００２５】
搬送ベルト７３の下部には、搬送ベルト７３に付着したトナーや紙粉などの付着物を除去するために搬送ベルト７３に当接して付着物を回収するクリーニングユニット７５が設けられている。
【００２６】
定着ユニット８０は、４つのプロセスユニット６１、６２および転写ユニット７０の後方に設けられ、加熱ローラ８１と、加熱ローラ８１と対向配置されて加熱ローラ８１を押圧する加圧ローラ８２とを主に備えている。
【００２７】
画像形成部４０では、感光体ドラム６１Ａ、６２Ａの表面が、帯電器６１Ｂ、６２Ｂにより一様に帯電された後、露光ユニット５０からのレーザ光の高速走査によって露光されることで、感光体ドラム６１Ａ、６２Ａ上に画像データに基づく静電潜像が形成される。また、現像剤収容器６２Ｇまたはトナーカートリッジ１００内のトナーは、供給ローラ６１Ｄ、６２Ｄを介して現像ローラ６１Ｃ、６２Ｃに供給され、現像ローラ６１Ｃ、６２Ｃと層厚規制ブレード６１Ｅ、６２Ｅとの間に進入して一定厚さの薄層として現像ローラ６１Ｃ、６２Ｃ上に担持される。
【００２８】
現像ローラ６１Ｃ、６２Ｃ上に担持されたトナーは、現像ローラ６１Ｃ、６２Ｃから感光体ドラム６１Ａ、６２Ａ上の静電潜像に供給される。これにより、静電潜像が可視像化されて感光体ドラム６１Ａ、６２Ａ上にトナー像（画像）が形成される。その後、搬送ベルト７３上に搬送された用紙Ｐが、感光体ドラム６１Ａ、６２Ａと搬送ベルト７３（転写ローラ７４）の間を搬送されることで、各感光体ドラム６１Ａ、６２Ａ上のトナー像が用紙Ｐ上に順次重ね合わせて転写される。そして、用紙Ｐが加熱ローラ８１と加圧ローラ８２の間を搬送されることで、用紙Ｐ上のトナー像が熱定着される。
【００２９】
排紙部９０は、定着ユニット８０の出口から上方に向かって延び、前方に方向転換するように形成された排紙経路９１と、用紙Ｐを排出する排紙ローラ９２とを主に備えている。トナー像が熱定着された用紙Ｐは、定着ユニット８０から排紙経路９１に搬送され、排紙ローラ９２によって本体筐体１０の上部に設けられた排紙トレイ１５上に排出される。
【００３０】
＜プロセスユニットの詳細構成＞
次に、主に図５および図６を参照しながら、プロセスユニット６１（トナーカートリッジ１００および現像器２００）の詳細な構成を、プロセスユニット６２と対比しつつ説明する。なお、図５、６においては、トナーカートリッジ１００を下から見上げ、現像器２００を上から見下ろすように表している。
【００３１】
［トナーカートリッジの構成］
プロセスユニット６１は、図２〜４に示すように、トナーカートリッジ１００が、現像器２００に対して着脱可能に構成されており、現像器２００に装着された状態において現像器２００の上方に隣接して配置される。
【００３２】
図５および図６に示すように、トナーカートリッジ１００は、略円筒状の容器であり、左右両端は側壁１１０で閉塞されている。トナーカートリッジ１００の円筒状の壁には、トナーカートリッジ１００内から現像器２００内へトナーを供給するための第１供給口１１１が形成されている。
【００３３】
トナーカートリッジ１００には、その円筒状の壁を覆う円筒状の第１シャッタ１２０が設けられている。この第１シャッタ１２０を周方向に沿って回動させることで、第１供給口１１１を開閉することができる。すなわち、第１シャッタ１２０には、その開位置においてトナーカートリッジ１００の第１供給口１１１と完全に重なる位置に第１シャッタ供給口１２１が形成されており（図６参照）、周方向に所定のストロークで回動させて閉位置まで変位させることで、第１供給口１１１が完全に閉塞される（図５参照）。
【００３４】
トナーカートリッジ１００の左右の側壁１１０には、それぞれ、その外側の面に中心から径方向に外縁部まで延在する断面長方形の突条部１１０Ｐが設けられている。そして、第１シャッタ１２０には、突条部１１０Ｐと同一の断面形状を有する突起部１２０Ｐが設けられている。
【００３５】
突起部１２０Ｐは、第１シャッタ１２０を閉位置にセットすると、突条部１１０Ｐの外側端部に繋がって一体となり、後述の現像器２００への装着を案内する一条のガイドレールとなるよう構成されている（図５参照）。そして、第１シャッタ１２０が開位置にセットされると、突起部１２０Ｐは、現像器２００の収容凹部側壁部に設けられた溝部２１０Ｒの第２溝部Ｒ２（詳細は後述）内を周方向に移動して、トナーカートリッジ１００が現像器２００に結合（ロック）される（図６参照）よう構成されている。
【００３６】
第１シャッタ１２０の外周面には、図１に示す現像器２００への装着姿勢（第１シャッタ１２０の開位置）における上部位置から後方に向かって水平に延出する操作部材の一例としてのハンドル１２０Ｈが設けられている。装着姿勢のトナーカートリッジ１００本体に対してハンドル１２０Ｈを水平な位置から上方へ回動操作することにより、第１シャッタ１２０が閉まるとともに、現像器２００との結合（ロック）が解除され、トナーカートリッジ１００が着脱可能となる（図３参照）。
【００３７】
また、トナーカートリッジ１００内には、公知の撹拌部材としてのアジテータ１４０が設けられている（図１参照）。アジテータ１４０は、左右の側壁１１０に回転可能に支持された回転軸と、回転軸に固定された可撓性を有するシート状の複数の撹拌翼とから主に構成されている。
【００３８】
このようなアジテータ１４０は、回転軸に対して、本体筐体１０内に設けられた図示しないモータから駆動力が付与されることで、トナーカートリッジ１００内を回転する。このとき、撹拌翼の先端が、回転軸に対して斜めになりながらトナーカートリッジ１００の内周面に摺接することで、トナーを撹拌するとともに、第１供給口１１１に向けてトナーを搬送する。
【００３９】
［現像器の構成］
図１に示すように、現像器２００には、現像ローラ６１Ｃや供給ローラ６１Ｄ、層厚規制ブレード６１Ｅなどが設けられている。現像器２００の構成および配置は、現像剤収容器としてのトナーカートリッジ１００が着脱可能であり、供給ローラ６１Ｄに対向する位置にトナーカートリッジ１００が装着される収容凹部２１０Ｓ（図６参照）が形成されていることを除き、他のプロセスユニット６２の現像器と同様である。
【００４０】
図５および図６に示すように、現像器２００には、収容凹部２１０Ｓのアーチ状（断面視円弧状）に湾曲した壁におけるトナーカートリッジ１００の第１供給口１１１に対応する位置に、トナーカートリッジ１００内から現像器２００内へトナーを供給するための第２供給口２１１が形成されている。
【００４１】
現像器２００には、収容凹部２１０Ｓのアーチ状の壁を覆う第２シャッタ２２０がさらに設けられている。この第２シャッタ２２０を周方向に沿って回動させることで、第２供給口２１１を開閉することができる。すなわち、第２シャッタ２２０には、その開位置において現像器２００の第２供給口２１１と完全に重なる位置に第２シャッタ供給口２２１が形成されており（図６参照）、周方向に所定のストロークで回動させて閉位置まで変位させることで、第２供給口２１１が完全に閉塞される（図５参照）。
【００４２】
現像器２００のトナーカートリッジ１００が装着される収容凹部２１０Ｓの左右両側壁には、その内側の面に、溝部２１０Ｒが形成されている。溝部２１０Ｒは、収容凹部２１０Ｓの曲率中心から下方（径方向）に向かう第１溝部Ｒ１と、第１溝部Ｒ１の下端から周方向（前後両方向）に沿って延在する第２溝部Ｒ２と、第１溝部Ｒ１の上端に形成され、トナーカートリッジ１００の装着時に、突条部１１０Ｐと突起部１２０Ｐにより構成されたガイドレール状の部分が容易に挿入できるように、漏斗状に拡がっている漏斗部Ｒ３とからなる。
【００４３】
第２溝部Ｒ２には、第２シャッタ２２０の左右の端部に形成された内周突条部２２０Ｐが摺動可能に係合している。内周突条部２２０Ｐには、第２シャッタ２２０が閉位置にあるとき第１溝部Ｒ１の下端部に対向する部分に切り欠き部２２０Ｑが設けられ、トナーカートリッジ１００の装着時に、突起部１２０Ｐが切り欠き部２２０Ｑに入り込むようになっている。
【００４４】
なお、本実施形態では、プロセスユニット６１のトナーカートリッジ１００に収容される黒色トナーとしては、プロセスユニット６２の現像剤収容器６２Ｇに収容されるカラートナーに採用されているケミカルトナーではなく、粉砕トナーが採用されている。
【００４５】
ここで、「ケミカルトナー」とは、機械的粉砕方法により製造される旧世代トナーとは対照的に、化学的方法により製造されるトナーを指す。ケミカルトナーは、例えば、乳化重合凝集法、懸濁重合法、乳化凝集法および溶解懸濁法を含む種々の方法により製造できる。また、「粉砕トナー」には、機械的粉砕方法により製造された旧世代トナーの他に、この機械的粉砕方法により製造されたトナーを化学処理して円形度を高くしたものも含む。
【００４６】
ケミカルトナーより流動性が低い粉砕トナーを採用することで、現像器２００においてトナー漏れしにくくなり、トナー漏れ防止シール構造の寿命に大きく依存する現像器２００の耐用印字枚数をさらに延ばすことができる。
【００４７】
＜保持ケースの引き出し操作と位置決め支持＞
次に、図２〜４および図７（ａ）および（ｂ）を参照しつつ、本体筐体１０に対して保持ケース６５を引き出し操作して位置決め支持するための構造について説明する。図７（ａ）および（ｂ）は、それぞれ、保持ケース６５が図４に示す着脱位置（第２の位置）にあるときの、後支持構造ＳＲおよび前支持構造ＳＦを模式的に示すものである。
【００４８】
保持ケース６５には、その左右の側壁の上縁部を外側に折り曲げて形成した前後方向に延在するフランジ部６５Ｒが設けられている。そして、保持ケース６５の後端部、フランジ部６５Ｒの後方には、コロ６５Ｋが設けられている（図７（ａ）参照）。
【００４９】
一方、本体筐体１０内部の保持ケース６５が収容されるスペースの左右両側には、保持ケース６５の引き出し方向への平行移動を案内するレール１０Ｒが設けられている。レール１０Ｒの前端部には、傾斜部１０Ｓおよびコロ１０Ｋが設けられており、そのやや後方上部にコロ１０Ｊが設けられている（図７（ｂ）参照）。
【００５０】
また、本体筐体１０内部の保持ケース６５が収容されるスペースの左右両側には、図３、図４および図７（ａ）に示すように、保持ケース６５が着脱位置にあるときに、少なくともその後支持構造ＳＲ部分が配置される位置においてフランジ部６５Ｒの上方への移動を規制する規制フレーム１０Ｆが、レール１０Ｒと平行に設けられている。
【００５１】
また、本体筐体１０のレール１０Ｒの後端部には、傾斜部１０Ｎおよび位置決め部１０Ｍが設けられている（図２および図３参照）。
【００５２】
収容位置（第１の位置）においては、図２に示すように、保持ケース６５の後端部のコロ６５Ｋが、本体筐体１０側の位置決め部１０Ｍに収容され、位置決めされている。このとき、保持ケース６５のフランジ部６５Ｒが本体筐体１０のレール１０Ｒ上に載置され安定的に位置決め支持されている。この位置で、カラー複合機１の運転が行われる。
【００５３】
この位置から、保持ケース６５を引き出すと、保持ケース６５の後端部側では、コロ６５Ｋが傾斜部１０Ｎを乗り越えてレール１０Ｒ上を転がり、その前端部側では、フランジ部６５Ｒが傾斜部１０Ｓを越えて転動するコロ１０Ｋの上を滑動することで前方に案内される。
【００５４】
そして、保持ケース６５が、図３に示す着脱位置（第２の位置）に来ると、図７（ｂ）に示すように、保持ケース６５のフランジ部６５Ｒに装着された板ばね６５Ｓが、本体筐体１０側のコロ１０Ｊに当接し、保持ケース６５の引き出し方向への移動をストップする。この位置で、プロセスユニット６１のトナーカートリッジ１００やプロセスユニット６２の現像剤収容器６２Ｇ（および現像ローラ６２Ｃ、供給ローラ６２Ｄ、層厚規制ブレード６２Ｅ）を交換することができる。
【００５５】
図３および図４に示すように、保持ケース６５が着脱位置（第２の位置）にあるとき、プロセスユニット６１が本体筐体１０内に位置している。また、このとき、プロセスユニット６１は、前支持構造ＳＦおよび後支持構造ＳＲの間に位置しており、保持ケース６５が前支持構造ＳＦおよび後支持構造ＳＲにおいて本体筐体１０に支持されている。
【００５６】
具体的には、図７（ａ）に示すように、後支持構造ＳＲにおいては、保持ケース６５は、コロ６５Ｋがレール１０Ｒ上に載置されているので下方への移動が規制され、コロ６５Ｋおよびフランジ部６５Ｒの上側に規制フレーム１０Ｆが配置されているので上方への移動が規制されている。
【００５７】
また、図７（ｂ）に示すように、前支持構造ＳＦにおいては、保持ケース６５は、フランジ部６５Ｒがコロ１０Ｋの上に載置されているので下方への移動が規制され、フランジ部６５Ｒの上側にコロ１０Ｊが配置されているので上方への移動が規制されている。
【００５８】
着脱位置（第２の位置）に保持ケース６５を位置決めする板ばね６５Ｓは、中央部分がなだらかに上方に膨出し、前側の端部がフランジ部６５Ｒに埋め込まれ、後側の端部が、フランジ部６５Ｒの上面に設けられた凹部内を摺動可能に設けられているので、図示された状態から、ユーザがさらに力を加えて保持ケース６５を前方に引き出すと、板ばね６５Ｓが弾性変形してコロ１０Ｊの下を通過するよう構成されている。
【００５９】
したがって、着脱位置を越えて保持ケース６５を引き出すと、保持ケース６５の後端部のコロ６５Ｋが、傾斜部１０Ｓとコロ１０Ｋを乗り越えることで、保持ケース６５を完全に本体筐体１０から抜き出すことができる。このようにして、保持ケース６５を取り出すことで、感光体ドラム６１Ａ、６２Ａや帯電器６１Ｂ、６２Ｂなどの修理や交換が行われる。
【００６０】
＜現像剤収容器（トナーカートリッジ）の交換のための操作＞
次に、以上のように構成されたプロセスユニット６１において、トナーカートリッジ１００を交換するための操作について説明する。
【００６１】
プロセスユニット６１は、図１および図２に示す位置において、トナーカートリッジ１００が現像器２００に結合・ロックされ、第１シャッタ１２０および第２シャッタ２２０が開いた状態にある。すなわち、図６に示すように、第１シャッタ１２０の突起部１２０Ｐが突条部１１０Ｐとずれた位置にあって現像器２００の溝部２１０Ｒの周方向延在部分である第２溝部Ｒ２に入り込んでおり、装着されたトナーカートリッジ１００が現像器２００から外れないようしっかりと固定されている。
【００６２】
黒色のトナーが消費されたときなど、トナーカートリッジ１００を交換する場合には、ユーザは、まず、フロントカバー１１を開いてハンドル６５Ｈを把持し、保持ケース６５を前方に引き出して着脱位置に位置決めしてから、トナーカートリッジ１００のハンドル１２０Ｈを奥側に回動させることでトナーカートリッジ１００と現像器２００のシャッタ（第１シャッタ１２０および第２シャッタ２２０）を閉鎖するとともに現像器２００に対するトナーカートリッジ１００のロックを解除する（図３参照）。そして、本体筐体１０内からトナーカートリッジ１００を取り出す。
【００６３】
具体的には、ハンドル１２０Ｈの奥側への回動操作によって、第１シャッタ１２０および第２シャッタ２２０が図６の位置から図５の位置に変位すると、第１シャッタ１２０および第２シャッタ２２０が閉じた状態になるとともに、第１シャッタ１２０の突起部１２０Ｐが突条部１１０Ｐと揃った位置に来る。その結果、突起部１２０Ｐが現像器２００の溝部２１０Ｒの径方向延在部である第１溝部Ｒ１を通過可能となり、トナーカートリッジ１００は、図４に示すように取り外し可能となる。
【００６４】
新たにトナーカートリッジ１００を装着する際には、図３に示すように、フロントカバー１１を開いて、保持ケース６５を前方に引き出して着脱位置に位置決めしてから、トナーカートリッジ１００を投入し、セットする。
【００６５】
そして、図５に示す状態において、トナーカートリッジ１００の左右両側の突条部１１０Ｐおよび突起部１２０Ｐを現像器２００の左右両側の溝部２１０Ｒに位置合わせし向きを揃えて挿入し、トナーカートリッジ１００の全体を現像器２００の収容凹部２１０Ｓにセットする。その後、ハンドル１２０Ｈを前方（下方）に回動して、図６に示すように第１シャッタ１２０および第２シャッタ２２０が完全に開いた位置まで動かす。
【００６６】
すると、第１シャッタ１２０の突起部１２０Ｐが現像器２００の溝部２１０Ｒの第２溝部Ｒ２に入り込んで突条部１１０Ｐとずれた位置に来るので、装着されたトナーカートリッジ１００が現像器２００から外れないようしっかりと固定される。
【００６７】
このように、現像器２００の第２シャッタ２２０は、ハンドル１２０Ｈによる第１シャッタ１２０の開閉に連動して第２供給口２１１および第２戻し口２１２を開閉するので、第１シャッタ１２０および第２シャッタ２２０を一度の操作で簡単に開閉することができる。また、ハンドル１２０Ｈによるシャッタの閉位置への切換操作によって、連動してトナーカートリッジ１００の現像器２００との結合が解除され、ハンドル１２０Ｈのシャッタの閉位置への切換操作によって、連動してトナーカートリッジ１００が現像器２００に対してロックされるよう構成されており、操作の安全性と簡便性が実現されている。
【００６８】
シアン（Ｃ）、マゼンタ（Ｍ）、イエロー（Ｙ）のいずれかのトナーが消費されたときなど、該当するプロセスユニット６２の現像剤収容器６２Ｇを現像器（現像ローラ６２Ｃ、供給ローラ６２Ｄ、層厚規制ブレード６２Ｅ）とともに交換する場合も、図４に示すように、フロントカバー１１を開き、ハンドル６５Ｈを把持して保持ケース６５を引き出してから、取り外しおよび装着を行う。
【００６９】
なお、プロセスユニット６１およびプロセスユニット６２の部品交換は、保持ケース６５を本体筐体１０から完全に取り出してから行うこともできる。
【００７０】
図４に示すように、保持ケース６５の両側壁の内側の面には、保持ケース６５に対して着脱される現像剤収容器６２Ｇおよび現像器（現像ローラ６２Ｃ、供給ローラ６２Ｄ、層厚規制ブレード６２Ｅ）の上下方向のスライド移動を案内するとともに、下端部において、装着時に現像器（特に、現像ローラ６２Ｃ）を位置決め保持するガイド溝６５Ｇが設けられている。このような着脱構造によって、プロセスユニット６２の部品の交換を円滑容易に実施できる。
【００７１】
以上のように構成された本実施形態のカラー複合機１は、主として次のような利点を有するものとして顕著な効果を奏するものである。
【００７２】
複数の現像剤収容器を備えるタンデム引き出し型の装置において、黒色の現像剤を収容するトナーカートリッジ１００が分離可能に設けられたプロセスユニット６１を、引き出し方向最も奥側の、保持ケース６５を引き出して着脱位置（第２の位置）に位置決めした状態において最も安定的に操作可能な位置に配置することで、黒色現像剤のトナーカートリッジ１００の交換が容易かつ安全に実施することができるとともに、ランニングコストの低減を可能にした。
また、現像器と現像剤収容器を一体で保持部材から分離可能としたカラーのプロセスユニット６２を、引き出し方向の手前側に配置した。これにより、プロセスユニット６２において現像剤収容器のシャッタの開閉がなくなり、プロセスユニット６２の交換が容易かつ安全に実施することができる。
【００７３】
複数の現像剤収容器のうち、一般に最も消費の早い黒色の現像剤の現像剤収容器をトナーカートリッジ１００として単独で交換することができるよう構成したので、顕著なランニングコスト抑制効果が期待できる。
【００７４】
トナーカートリッジ１００が分離可能に設けられたプロセスユニット６１を、保持ケース６５を引き出して着脱位置（第２の位置）に位置決めした状態において、本体筐体１０内に位置するよう構成したので、トナーカートリッジ１００着脱時のシャッタの開閉動作の際に引き出した状態の保持ケース６５にかかる力により保持ケース６５が破損したり装置本体が転倒したりするリスクを大幅に低減することができる。
【００７５】
また、プロセスユニット６１は、保持ケース６５を引き出して着脱位置（第２の位置）に位置決めした状態において、手前側（前支持構造ＳＦ）と奥側（後支持構造ＳＲ）の２箇所において本体筐体１０に支持されるよう構成したので、トナーカートリッジ１００着脱時のシャッタの開閉動作を、より安全かつ容易に行うことができる。
【００７６】
以上、本発明の一実施形態について説明したが、本発明は前記実施形態に限定されるものではない。具体的な構成については、本発明の趣旨を逸脱しない範囲で適宜変更が可能である。
【００７７】
前記第１の実施形態および第２の実施形態では、記録シートとして、普通紙やはがきなどの用紙Ｐを例示したが、これに限定されず、例えば、ＯＨＰシートなどであってもよい。
【００７８】
その他、露光装置、保持部材、感光体、現像剤収容器、操作部材（ハンドル）等、画像形成装置を構成する具体的な部品の構成と配置は、前記した実施形態に例示したものに限らず、適宜変更可能である。
【００７９】
前記実施形態では、本発明のプロセスユニットを備えた画像形成装置として、カラー複合機１を例示したが、これに限定されず、例えば、複写機やプリンタなどであってもよい。また、前記実施形態では、４つのプロセスユニット６１を備える画像形成装置を例示したが、本発明はこれに限定されず、黒色の現像剤を収容するものを含む複数の現像剤収容器を備える画像形成装置であれば、好適に実施可能である。
【符号の説明】
【００８０】
１              カラー複合機
１０            本体筐体
１１            フロントカバー
６１、６２      プロセスユニット
６１Ａ、６２Ａ  感光体ドラム（感光体）
６１Ｂ、６２Ｂ  帯電器
６１Ｃ、６２Ｃ  現像ローラ
６１Ｄ、６２Ｄ  供給ローラ
６２Ｇ          現像剤収容器（第２の現像剤収容器）
６５            保持ケース（保持部材）
１００          トナーカートリッジ（第１の現像剤収容器）
２００          現像器
【図１】
2011150178.tif 000003
【図２】
2011150178.tif 000004
【図３】
2011150178.tif 000005
【図４】
2011150178.tif 000006
【図５】
2011150178.tif 000007
【図６】
2011150178.tif 000008
【図７】
2011150178.tif 000009